(57)【特許請求の範囲】
【請求項１】
判別対象に設けられる複数の判別用回路（１００〜１０４、２００〜２０３）と、
前記判別用回路の数より多く設けられ、前記判別用回路が接続されている場合と接続されていない場合で出力が異なり、前記判別用回路と同数が前記判別用回路に接続される複数の出力回路（１２０〜１２５、２２０〜２２５）と、
全ての前記出力回路に接続され、前記判別用回路が接続されていない場合の出力がどの前記出力回路から出力されているかによって前記判別対象の種類を判別する種類判別回路（１３、２３）と、
を備えた種類判別装置であって、
前記判別用回路は、判別用抵抗（１００ａ、１０１ａ、１０２ａ、１０３ａ、１０４ａ、２００ａ、２０１ａ、２０２ａ、２０３ａ）によって構成され、
前記出力回路は、電源に接続された分圧用抵抗（１２０ａ、１２１ａ、１２２ａ、１２３ａ、１２４ａ、１２５ａ、２２０ａ、２２１ａ、２２２ａ、２２３ａ、２２４ａ、２２５ａ）を有し、前記判別用回路が接続されている場合は、前記電源の電圧を前記分圧用抵抗と前記判別用抵抗で分圧して出力し、前記判別用回路が接続されていない場合は、前記電源の電圧を出力するように構成され、
前記判別用回路が接続されない前記出力回路が前記判別対象の種類によって異なるように、前記判別用回路が配線されていることを特徴とする種類判別装置。
【請求項２】
前記判別用抵抗は、温度によって抵抗値が変化する温度センサであることを特徴とする請求項１に記載の種類判別装置。
【請求項３】
前記判別対象（Ｂ１０〜Ｂ１５、Ｂ２０〜Ｂ２２）は、電池であることを特徴とする請求項１又は２に記載の種類判別装置。
【請求項４】
判別対象に設けられる複数の判別用回路（１００〜１０４、２００〜２０３）と、
前記判別用回路の数より多く設けられ、前記判別用回路が接続されている場合と接続されていない場合で出力が異なり、前記判別用回路と同数が前記判別用回路に接続される複数の出力回路（１２０〜１２５、２２０〜２２５）と、
全ての前記出力回路に接続され、前記判別用回路が接続されていない場合の出力がどの前記出力回路から出力されているかによって前記判別対象の種類を判別する種類判別回路（１３、２３）と、
を備えた種類判別装置であって、
前記判別対象（Ｂ１０〜Ｂ１５、Ｂ２０〜Ｂ２２）は、電池であり、
前記判別用回路が接続されない前記出力回路が前記判別対象の種類によって異なるように、前記判別用回路が配線されていることを特徴とする種類判別装置。
【請求項５】
前記出力回路（１２０〜１２５）は、前記判別用回路の数よりも１つ多く設けられていることを特徴とする請求項１〜４のいずれか１項に記載の種類判別装置。
【請求項６】
前記種類判別回路（１３）は、前記判別用回路が接続されていない場合の出力が２つ以上の前記出力回路から出力されている場合、異常が発生していると判断することを特徴とする請求項５に記載の種類判別装置。
【請求項７】
前記出力回路（２２０〜２２５）は、前記判別用回路の数よりも２つ多く設けられていることを特徴とする請求項１〜４のいずれか１項に記載の種類判別装置。
【請求項８】
前記種類判別回路（２３）は、前記判別用回路が接続されていない場合の出力が４つ以上の前記出力回路から出力されている場合において、前記判別対象を１種類に特定できない場合、異常が発生していると判断することを特徴とする請求項７に記載の種類判別装置。
【発明の詳細な説明】
【技術分野】
【０００１】
本発明は、判別対象の種類を判別する種類判別装置に関する。
【背景技術】
【０００２】
従来、判別対象の種類を判別する種類判別装置として、例えば以下に示す特許文献１に開示されている電池種類判別装置がある。
【０００３】
この電池種類判別装置は、電池の種類を判別する装置である。電池種類判別装置は、判別用抵抗と、サーミスタと、判別制御回路とを備えている。
【０００４】
判別用抵抗は、電池に設けられ、電池の種類に対応した抵抗値に設定されている。サーミスタは、電池に設けられ、電池の種類に応じた所定の接続関係で判別用抵抗に接続されている。判別制御回路は、判別用抵抗の抵抗値と、判別用抵抗とサーミスタの接続関係に基づいて電池の種類を判別する。
【先行技術文献】
【特許文献】
【０００５】
【特許文献１】特開平９−１７４６０号公報
【発明の概要】
【発明が解決しようとする課題】
【０００６】
前述した電池種類判別装置では、電池の種類に応じて、判別用抵抗の抵抗値を変えるとともに、判別用抵抗とサーミスタの接続関係を変えなければならない。つまり、電池の種類に応じて、判別用抵抗及びサーミスタからなる判別用回路の構成を変えなければならない。そのため、電池の種類が多い場合、判別用回路の種類が増えてしまう。その結果、多くの種類の中から適切な判別用回路を選択しなければならず、判別用回路の組付け作業が複雑になってしまう。
【０００７】
本発明はこのような事情に鑑みてなされたものであり、判別対象の種類に応じて判別用回路の構成を大きく変更することなく、判別対象の種類を判別することができる種類判別装置を提供することを目的とする。
【課題を解決するための手段】
【０００８】
上記課題を解決するためになされた第１の本発明は、判別対象に設けられる複数の判別用回路と、判別用回路の数より多く設けられ、判別用回路が接続されている場合と接続されていない場合で出力が異なり、判別用回路と同数が判別用回路に接続される複数の出力回路と、全ての出力回路に接続され、判別用回路が接続されていない場合の出力がどの出力回路から出力されているかによって判別対象の種類を判別する種類判別回路と、を備えた種類判別装置であって、判別用回路は、判別用抵抗によって構成され、出力回路は、電源に接続された分圧用抵抗を有し、判別用回路が接続されている場合は、電源の電圧を分圧用抵抗と判別用抵抗で分圧して出力し、判別用回路が接続されていない場合は、電源の電圧を出力するように構成され、判別用回路が接続されない出力回路が判別対象の種類によって異なるように、判別用回路が配線されていることを特徴とする。
上記課題を解決するためになされた第２の本発明は、判別対象に設けられる複数の判別用回路と、判別用回路の数より多く設けられ、判別用回路が接続されている場合と接続されていない場合で出力が異なり、判別用回路と同数が判別用回路に接続される複数の出力回路と、全ての出力回路に接続され、判別用回路が接続されていない場合の出力がどの出力回路から出力されているかによって判別対象の種類を判別する種類判別回路と、を備えた種類判別装置であって、判別対象は、電池であり、判別用回路が接続されない出力回路が判別対象の種類によって異なるように、判別用回路が配線されていることを特徴とする。
【０００９】
この構成によれば、出力回路は、判別用回路の数より多く設けられている。そのため、判別用回路が接続されない出力回路が発生する。そして、判別用回路が接続されない出力回路が判別対象の種類によって異なるように、判別用回路が配線されている。そのため、判別対象の種類によらず共通の判別用回路を用いることができる。従って、バッテリＢの種類に応じて判別用回路の構成を大きく変更することなく、バッテリＢの種類を判別することができる。
【図面の簡単な説明】
【００１０】
【図１】第１実施形態におけるバッテリ種類判別装置の回路図である。
【図２】タイプＡのバッテリにおける判別用回路の接続関係を示す回路図である。
【図３】タイプＢのバッテリにおける判別用回路の接続関係を示す回路図である。
【図４】タイプＣのバッテリにおける判別用回路の接続関係を示す回路図である。
【図５】タイプＤのバッテリにおける判別用回路の接続関係を示す回路図である。
【図６】タイプＥのバッテリにおける判別用回路の接続関係を示す回路図である。
【図７】タイプＦのバッテリにおける判別用回路の接続関係を示す回路図である。
【図８】タイプＡのバッテリが接続された状態におけるバッテリ種類判別装置の回路図である。
【図９】タイプＢのバッテリが接続された状態におけるバッテリ種類判別装置の回路図である。
【図１０】タイプＣのバッテリが接続された状態におけるバッテリ種類判別装置の回路図である。
【図１１】タイプＤのバッテリが接続された状態におけるバッテリ種類判別装置の回路図である。
【図１２】タイプＥのバッテリが接続された状態におけるバッテリ種類判別装置の回路図である。
【図１３】タイプＦのバッテリが接続された状態におけるバッテリ種類判別装置の回路図である。
【図１４】第２実施形態におけるバッテリ種類判別装置の回路図である。
【図１５】タイプＡのバッテリにおける判別用回路の接続関係を示す回路図である。
【図１６】タイプＢのバッテリにおける判別用回路の接続関係を示す回路図である。
【図１７】タイプＣのバッテリにおける判別用回路の接続関係を示す回路図である。
【図１８】タイプＡのバッテリが接続された状態におけるバッテリ種類判別装置の回路図である。
【図１９】タイプＢのバッテリが接続された状態におけるバッテリ種類判別装置の回路図である。
【図２０】タイプＣのバッテリが接続された状態におけるバッテリ種類判別装置の回路図である。
【発明を実施するための形態】
【００１１】
次に、実施形態を挙げ、本発明をより詳しく説明する。本実施形態では、本発明に係る種類判別装置を、車両に搭載されたバッテリの種類を判別するバッテリ種類判別装置に適用した例を示す。
【００１２】
（第１実施形態）
まず、図１〜図７を参照して第１実施形態のモータの構成について説明する。
【００１３】
図１に示すバッテリ種類判別装置１は、車両に搭載されたバッテリＢ（電池）の種類を判別し、判別結果に応じた信号を出力する装置である。バッテリ種類判別装置１は、複数の判別用回路１００〜１０４と、配線部材１１と、複数の出力回路１２０〜１２５と、種類判別回路１３とを備えている。
【００１４】
判別用回路１００〜１０４は、バッテリＢに設けられ、バッテリＢの種類に応じた情報を構成するための回路である。判別用回路１００〜１０４は、判別用抵抗１００ａ、１０１ａ、１０２ａ、１０３ａ、１０４ａによってそれぞれ構成されている。ここで、判別用抵抗１００ａ、１０１ａ、１０２ａ、１０３ａ、１０４ａは、バッテリＢの各部の温度を検出するための温度によって抵抗値が変化する同一のサーミスタ素子（温度センサ）である。判別用抵抗１００ａ、１０１ａ、１０２ａ、１０３ａ、１０４ａは、バッテリＢの所定位置に設けられている。
【００１５】
配線部材１１は、判別用抵抗１００ａ、１０１ａ、１０２ａ、１０３ａ、１０４ａを出力回路１２０〜１２５に配線するための部材である。配線部材１１は、コネクタ１１０と、ケーブル１１１と、コネクタ１１２とを備えている。
【００１６】
コネクタ１１０は、判別用抵抗１００ａ、１０１ａ、１０２ａ、１０３ａ、１０４ａをケーブル１１１に配線するための部材である。コネクタ１１０は、ピンＴＢ１〜ＴＢ６、ＧＢ１〜ＧＢ６を備えている。コネクタ１１０は、バッテリＢに設けられている。
【００１７】
ケーブル１１１は、コネクタ１１０をコネクタ１１２に配線するための部材である。ケーブル１１１は、電線１１１ａ〜１１１ｌによって構成されている。電線１１１ａ、１１１ｂの一端はコネクタ１１０のピンＴＢ１、ＧＢ１に、他端はコネクタ１１２にそれぞれ構成されている。電線１１１ｃ、１１１ｄの一端はコネクタ１１０のピンＴＢ２、ＧＢ２に、他端はコネクタ１１２にそれぞれ構成されている。電線１１１ｅ、１１１ｆの一端はコネクタ１１０のピンＴＢ３、ＧＢ３に、他端はコネクタ１１２にそれぞれ構成されている。電線１１１ｇ、１１１ｈの一端はコネクタ１１０のピンＴＢ４、ＧＢ４に、他端はコネクタ１１２にそれぞれ構成されている。電線１１１ｉ、１１１ｊの一端はコネクタ１１０のピンＴＢ５、ＧＢ５に、他端はコネクタ１１２にそれぞれ構成されている。電線１１１ｋ、１１１ｌの一端はコネクタ１１０のピンＴＢ６、ＧＢ６に、他端はコネクタ１１２にそれぞれ構成されている。
【００１８】
コネクタ１１２は、ケーブル１１１を出力回路１２０〜１２５に配線するための部材である。コネクタ１１２は、ピンＴＢ１〜ＴＢ６、ＧＢ１〜ＧＢ６を備えている。コネクタ１１２のピンＴＢ１、ＧＢ１は、電線１１１ａ、１１１ｂの他端及び出力回路１２０にそれぞれ接続されている。コネクタ１１２のピンＴＢ２、ＧＢ２は、電線１１１ｃ、１１１ｄの他端及び出力回路１２１にそれぞれ接続されている。コネクタ１１２のピンＴＢ３、ＧＢ３は、電線１１１ｅ、１１１ｆの他端及び出力回路１２２にそれぞれ接続されている。コネクタ１１２のピンＴＢ４、ＧＢ４は、電線１１１ｇ、１１１ｈの他端及び出力回路１２３にそれぞれ接続されている。コネクタ１１２のピンＴＢ５、ＧＢ５は、電線１１１ｉ、１１１ｊの他端及び出力回路１２４にそれぞれ接続されている。コネクタ１１２のピンＴＢ６、ＧＢ６は、電線１１１ｋ、１１１ｌの他端及び出力回路１２５にそれぞれ接続されている。
【００１９】
出力回路１２０〜１２５は、判別用抵抗が接続されている場合と接続されていない場合で出力が異なるように構成された回路である。出力回路１２０〜１２５は、判別用回路の数よりも１つ多い６つ設けられている。出力回路１２０〜１２５は、判別用回路と同数である５つが判別用回路１００〜１０４に接続される。
【００２０】
出力回路１２０は、分圧用抵抗１２０ａを備えている。分圧用抵抗１２０ａの一端は電圧Ｖｃｃの電源（図略）に、他端はコネクタ１１２のピンＴＢ１にそれぞれ接続されている。電圧Ｖｃｃの基準となるグランドＧＮＤが、ピンＧＢ１に接続されている。
【００２１】
出力回路１２１は、分圧用抵抗１２１ａを備えている。分圧用抵抗１２１ａの一端は電圧Ｖｃｃの電源に、他端はコネクタ１１２のピンＴＢ２にそれぞれ接続されている。電圧Ｖｃｃの基準となるグランドＧＮＤが、ピンＧＢ２に接続されている。
【００２２】
出力回路１２２は、分圧用抵抗１２２ａを備えている。分圧用抵抗１２２ａの一端は電圧Ｖｃｃの電源に、他端はコネクタ１１２のピンＴＢ３にそれぞれ接続されている。電圧Ｖｃｃの基準となるグランドＧＮＤが、ピンＧＢ３に接続されている。
【００２３】
出力回路１２３は、分圧用抵抗１２３ａを備えている。分圧用抵抗１２３ａの一端は電圧Ｖｃｃの電源に、他端はコネクタ１１２のピンＴＢ４にそれぞれ接続されている。電圧Ｖｃｃの基準となるグランドＧＮＤが、ピンＧＢ４に接続されている。
【００２４】
出力回路１２４は、分圧用抵抗１２４ａを備えている。分圧用抵抗１２４ａの一端は電圧Ｖｃｃの電源に、他端はコネクタ１１２のピンＴＢ５にそれぞれ接続されている。電圧Ｖｃｃの基準となるグランドＧＮＤが、ピンＧＢ５に接続されている。
【００２５】
出力回路１２５は、分圧用抵抗１２５ａを備えている。分圧用抵抗１２５ａの一端は電圧Ｖｃｃの電源に、他端はコネクタ１１２のピンＴＢ６にそれぞれ接続されている。電圧Ｖｃｃの基準となるグランドＧＮＤが、ピンＧＢ６に接続されている。
【００２６】
判別用抵抗が接続されている場合、出力回路１２０〜１２５は、電源の電圧Ｖｃｃを分圧用抵抗１２０ａ、１２１ａ、１２２ａ、１２３ａ、１２４ａ、１２５ａと判別用抵抗で分圧して出力する。一方、判別用抵抗が接続されていない場合、出力回路１２０〜１２５は、電源の電圧Ｖｃｃを出力する。
【００２７】
種類判別回路１３は、出力回路１２０〜１２５の出力に基づいてバッテリＢの種類を判別し、判別結果に応じた信号を出力する回路である。また、判定用抵抗と出力回路の間で断線が発生した場合、異常を示す信号を出力する回路でもある。種類判別回路１３は、判別用抵抗が接続されていない場合の出力がどの１つの出力回路から出力されるかによってバッテリＢの種類を判別する。具体的には、予め設定されている、電圧Ｖｃｃを出力する１つの出力回路とバッテリＢの種類の関係に基づいてバッテリＢの種類を判別する。また、種類判別回路１３は、判別用抵抗が接続されていない場合の出力が２つ以上の出力回路から出力されていた場合、判別用抵抗と出力回路の間で断線が発生していると判断し、異常を示す信号を出力する。種類判別回路１３の入力端は、分圧用抵抗１２０ａ、１２１ａ、１２２ａ、１２３ａ、１２４ａ、１２５ａの他端にそれぞれ接続されている。
【００２８】
図２に示すように、バッテリＢがタイプＡのバッテリＢ１０である場合、判別用抵抗１００ａの一端はコネクタ１１０のピンＴＢ１に、他端はコネクタ１１０のピンＧＢ１にそれぞれ接続されている。判別用抵抗１０１ａの一端はコネクタ１１０のピンＴＢ２に、他端はコネクタ１１０のピンＧＢ２にそれぞれ接続されている。判別用抵抗１０２ａの一端はコネクタ１１０のピンＴＢ３に、他端はコネクタ１１０のピンＧＢ３にそれぞれ接続されている。判別用抵抗１０３ａの一端はコネクタ１１０のピンＴＢ４に、他端はコネクタ１１０のピンＧＢ４にそれぞれ接続されている。判別用抵抗１０４ａの一端はコネクタ１１０のピンＴＢ５に、他端はコネクタ１１０のピンＧＢ５にそれぞれ接続されている。コネクタ１１０のピンＴＢ６、ＧＢ６は、何も接続されておらずオープン状態である。
【００２９】
図３に示すように、バッテリＢがタイプＢのバッテリＢ１１である場合、判別用抵抗１００ａの一端はコネクタ１１０のピンＴＢ１に、他端はコネクタ１１０のピンＧＢ１にそれぞれ接続されている。判別用抵抗１０１ａの一端はコネクタ１１０のピンＴＢ２に、他端はコネクタ１１０のピンＧＢ２にそれぞれ接続されている。判別用抵抗１０２ａの一端はコネクタ１１０のピンＴＢ３に、他端はコネクタ１１０のピンＧＢ３にそれぞれ接続されている。判別用抵抗１０３ａの一端はコネクタ１１０のピンＴＢ４に、他端はコネクタ１１０のピンＧＢ４にそれぞれ接続されている。コネクタ１１０のピンＴＢ５、ＧＢ５は、何も接続されておらずオープン状態である。判別用抵抗１０４ａの一端はコネクタ１１０のピンＴＢ６に、他端はコネクタ１１０のピンＧＢ６にそれぞれ接続されている。
【００３０】
図４に示すように、バッテリＢがタイプＣのバッテリＢ１２である場合、判別用抵抗１００ａの一端はコネクタ１１０のピンＴＢ１に、他端はコネクタ１１０のピンＧＢ１にそれぞれ接続されている。判別用抵抗１０１ａの一端はコネクタ１１０のピンＴＢ２に、他端はコネクタ１１０のピンＧＢ２にそれぞれ接続されている。判別用抵抗１０２ａの一端はコネクタ１１０のピンＴＢ３に、他端はコネクタ１１０のピンＧＢ３にそれぞれ接続されている。コネクタ１１０のピンＴＢ４、ＧＢ４は、何も接続されておらずオープン状態である。判別用抵抗１０３ａの一端はコネクタ１１０のピンＴＢ５に、他端はコネクタ１１０のピンＧＢ５にそれぞれ接続されている。判別用抵抗１０４ａの一端はコネクタ１１０のピンＴＢ６に、他端はコネクタ１１０のピンＧＢ６にそれぞれ接続されている。
【００３１】
図５に示すように、バッテリＢがタイプＤのバッテリＢ１３である場合、判別用抵抗１００ａの一端はコネクタ１１０のピンＴＢ１に、他端はコネクタ１１０のピンＧＢ１にそれぞれ接続されている。判別用抵抗１０１ａの一端はコネクタ１１０のピンＴＢ２に、他端はコネクタ１１０のピンＧＢ２にそれぞれ接続されている。コネクタ１１０のピンＴＢ３、ＧＢ３は、何も接続されておらずオープン状態である。判別用抵抗１０２ａの一端はコネクタ１１０のピンＴＢ４に、他端はコネクタ１１０のピンＧＢ４にそれぞれ接続されている。判別用抵抗１０３ａの一端はコネクタ１１０のピンＴＢ５に、他端はコネクタ１１０のピンＧＢ５にそれぞれ接続されている。判別用抵抗１０４ａの一端はコネクタ１１０のピンＴＢ６に、他端はコネクタ１１０のピンＧＢ６にそれぞれ接続されている。
【００３２】
図６に示すように、バッテリＢがタイプＥのバッテリＢ１４である場合、判別用抵抗１００ａの一端はコネクタ１１０のピンＴＢ１に、他端はコネクタ１１０のピンＧＢ１にそれぞれ接続されている。コネクタ１１０のピンＴＢ２、ＧＢ２は、何も接続されておらずオープン状態である。判別用抵抗１０１ａの一端はコネクタ１１０のピンＴＢ３に、他端はコネクタ１１０のピンＧＢ３にそれぞれ接続されている。判別用抵抗１０２ａの一端はコネクタ１１０のピンＴＢ４に、他端はコネクタ１１０のピンＧＢ４にそれぞれ接続されている。判別用抵抗１０３ａの一端はコネクタ１１０のピンＴＢ５に、他端はコネクタ１１０のピンＧＢ５にそれぞれ接続されている。判別用抵抗１０４ａの一端はコネクタ１１０のピンＴＢ６に、他端はコネクタ１１０のピンＧＢ６にそれぞれ接続されている。
【００３３】
図７に示すように、バッテリＢがタイプＦのバッテリＢ１５である場合、コネクタ１１０のピンＴＢ１、ＧＢ１は、何も接続されておらずオープン状態である。判別用抵抗１００ａの一端はコネクタ１１０のピンＴＢ２に、他端はコネクタ１１０のピンＧＢ２にそれぞれ接続されている。判別用抵抗１０１ａの一端はコネクタ１１０のピンＴＢ３に、他端はコネクタ１１０のピンＧＢ３にそれぞれ接続されている。判別用抵抗１０２ａの一端はコネクタ１１０のピンＴＢ４に、他端はコネクタ１１０のピンＧＢ４にそれぞれ接続されている。判別用抵抗１０３ａの一端はコネクタ１１０のピンＴＢ５に、他端はコネクタ１１０のピンＧＢ５にそれぞれ接続されている。判別用抵抗１０４ａの一端はコネクタ１１０のピンＴＢ６に、他端はコネクタ１１０のピンＧＢ６にそれぞれ接続されている。
【００３４】
次に、図８〜図１３を参照して第１実施形態のバッテリ種類判別装置の動作について説明する。
【００３５】
図８に示すように、バッテリＢがタイプＡのバッテリＢ１０である場合、配線部材１１を介して、出力回路１２０〜１２４に、判別用抵抗１００ａ、１０１ａ、１０２ａ、１０３ａ、１０４ａがそれぞれ接続される。そのため、出力回路１２０〜１２４は、判別用抵抗が接続されていることを示す分圧用抵抗と判別用抵抗によって分圧された電圧Ｖｃｃよりも低い電圧を出力する。一方、出力回路１２５には、何も接続されない。そのため、出力回路１２５は、判別用抵抗が接続されていないことを示す電圧Ｖｃｃを出力する。
【００３６】
種類判別回路１３は、判別用抵抗が接続されていないことを示す電圧Ｖｃｃが出力回路１２５から出力されていることから、バッテリＢがタイプＡのバッテリＢ１０である判別し、判別結果に応じた信号を出力する。 
【００３７】
以下同様に、図９に示すように、バッテリＢがタイプＢのバッテリＢ１１である場合、出力回路１２０〜１２３、１２５は、判別用抵抗が接続されていることを示す分圧用抵抗と判別用抵抗によって分圧された電圧Ｖｃｃよりも低い電圧を出力する。一方、出力回路１２４は、判別用抵抗が接続されていないことを示す電圧Ｖｃｃを出力する。
【００３８】
種類判別回路１３は、判別用抵抗が接続されていないことを示す電圧Ｖｃｃが出力回路１２４から出力されていることから、バッテリＢがタイプＢのバッテリＢ１１である判別し、判別結果に応じた信号を出力する。 
【００３９】
図１０に示すように、バッテリＢがタイプＣのバッテリＢ１２である場合、出力回路１２０〜１２２、１２４、１２５は、判別用抵抗が接続されていることを示す分圧用抵抗と判別用抵抗によって分圧された電圧Ｖｃｃよりも低い電圧を出力する。一方、出力回路１２３は、判別用抵抗が接続されていないことを示す電圧Ｖｃｃを出力する。
【００４０】
種類判別回路１３は、判別用抵抗が接続されていないことを示す電圧Ｖｃｃが出力回路１２３から出力されていることから、バッテリＢがタイプＣのバッテリＢ１２である判別し、判別結果に応じた信号を出力する。 
【００４１】
図１１に示すように、バッテリＢがタイプＤのバッテリＢ１３である場合、出力回路１２０、１２１、１２３〜１２５は、判別用抵抗が接続されていることを示す分圧用抵抗と判別用抵抗によって分圧された電圧Ｖｃｃよりも低い電圧を出力する。一方、出力回路１２２は、判別用抵抗が接続されていないことを示す電圧Ｖｃｃを出力する。
【００４２】
種類判別回路１３は、判別用抵抗が接続されていないことを示す電圧Ｖｃｃが出力回路１２２から出力されていることから、バッテリＢがタイプＤのバッテリＢ１３である判別し、判別結果に応じた信号を出力する。 
【００４３】
図１２に示すように、バッテリＢがタイプＥのバッテリＢ１４である場合、出力回路１２０、１２２〜１２５は、判別用抵抗が接続されていることを示す分圧用抵抗と判別用抵抗によって分圧された電圧Ｖｃｃよりも低い電圧を出力する。一方、出力回路１２１は、判別用抵抗が接続されていないことを示す電圧Ｖｃｃを出力する。
【００４４】
種類判別回路１３は、判別用抵抗が接続されていないことを示す電圧Ｖｃｃが出力回路１２１から出力されていることから、バッテリＢがタイプＥのバッテリＢ１４である判別し、判別結果に応じた信号を出力する。 
【００４５】
図１３に示すように、バッテリＢがタイプＦのバッテリＢ１５である場合、出力回路１２１〜１２５は、判別用抵抗が接続されていることを示す分圧用抵抗と判別用抵抗によって分圧された電圧Ｖｃｃよりも低い電圧を出力する。一方、出力回路１２０は、判別用抵抗が接続されていないことを示す電圧Ｖｃｃを出力する。
【００４６】
種類判別回路１３は、判別用抵抗が接続されていないことを示す電圧Ｖｃｃが出力回路１２０から出力されていることから、バッテリＢがタイプＦのバッテリＢ１５である判別し、判別結果に応じた信号を出力する。 
【００４７】
なお、種類判別回路１３は、判別用抵抗が接続されていないことを示す電圧Ｖｃｃが２つ以上の出力回路から出力されていた場合、判別用抵抗と出力回路の間で断線が発生していると判断し、異常を示す信号を出力する。
【００４８】
次に、第１実施形態のバッテリ種類判別装置の効果について説明する。
【００４９】
第１実施形態によれば、出力回路１２０〜１２５は、判別用回路の数より多く設けられている。そのため、判別用回路が接続されない出力回路が発生する。そして、判別用回路が接続されない出力回路がバッテリＢの種類によって異なるように判別用回路１００〜１０４が配線されている。そのため、バッテリＢの種類によらず共通の判別用回路を用いることができる。従って、バッテリＢの種類に応じて判別用回路の構成を大きく変更することなく、バッテリＢの種類を判別することができる。
【００５０】
第１実施形態によれば、出力回路１２０〜１２５は、判別用回路の数よりも１つ多く設けられている。そのため、判別用回路が接続されない出力回路が１つ発生する。そして、判別用回路が接続されない１つの出力回路がバッテリＢの種類によって異なるように判別用回路１００〜１０４が配線されている。そのため、より多くの種類のバッテリＢを判別することができる。
【００５１】
第１実施形態によれば、種類判別回路１３は、判別用回路が接続されていない場合の出力が２つ以上の出力回路から出力されている場合、異常が発生していると判断する。そのため、誤判別を防止することができる。
【００５２】
第１実施形態によれば、判別用回路１００〜１０４は、判別用抵抗１００ａ、１０１ａ、１０２ａ、１０３ａ、１０４ａによって構成されている。出力回路１２０〜１２５は、電源に接続された分圧用抵抗１２０ａ、１２１ａ、１２２ａ、１２３ａ、１２４ａ、１２５ａをそれぞれ備えている。判別用回路が接続されている場合、出力回路１２０〜１２５は、電源の電圧Ｖｃｃを分圧用抵抗１２０ａ、１２１ａ、１２２ａ、１２３ａ、１２４ａ、１２５ａと判別用抵抗で分圧して出力する。一方、判別用回路が接続されていない場合、出力回路１２０〜１２５は、電源の電圧Ｖｃｃを出力する。そのため、判別用回路が接続されている場合と接続されていない場合で異なる電圧を確実に出力することができる。
【００５３】
第１実施形態によれば、判別用抵抗１００ａ、１０１ａ、１０２ａ、１０３ａ、１０４ａは、温度によって抵抗値が変化するサーミスタ素子である。サーミスタ素子は、本来、バッテリＢの各部の温度を検出するためのものである。つまり、バッテリＢの各部の温度を検出するためのサーミスタ素子を、判別用抵抗１００ａ、１０１ａ、１０２ａ、１０３ａ、１０４ａとして利用している。そのため、構成を簡素化することができる。
【００５４】
第１実施形態によれば、判別対象はバッテリＢである。そのため、バッテリＢの種類に応じて判別用回路の構成を大きく変更することなく、バッテリＢの種類を判別することができる。
【００５５】
なお、第１実施形態では、判別用回路が接続されていない場合の出力が２つ以上の出力回路から出力されている場合、異常が発生していると判断する例を挙げているが、これに限られるものではない。判別用回路が接続されていない場合の出力が２つの出力回路から出力されている場合、その２つの出力回路に対応したいずれかの種類のバッテリＢであると判別し、判別結果に応じた信号を出力するようにしてもよい。
【００５６】
（第２実施形態）
次に、第２実施形態のバッテリ種類判別装置について説明する。第２実施形態のバッテリ種類判別装置は、第１実施形態のバッテリ種類判別装置がバッテリに５つの判別用回路を有する構成であったのに対して、４つの判別用回路を有する構成としたものである。
【００５７】
まず、図１４〜図１７を参照して第２実施形態のバッテリ種類判別装置の構成について説明する。
【００５８】
図１４に示すバッテリ種類判別装置２は、バッテリＢ（電池）の種類を判別し、判別結果に応じた信号を出力する装置である。バッテリ種類判別装置２は、複数の判別用回路２００〜２０３と、配線部材２１と、複数の出力回路２２０〜２２５と、種類判別回路２３とを備えている。
【００５９】
判別用回路２００〜２０３は、バッテリＢに設けられ、バッテリＢの種類に応じた情報を構成するための回路である。判別用回路２００〜２０３は、判別用抵抗２００ａ、２０１ａ、２０２ａ、２０３ａによって構成されている。ここで、判別用抵抗２００ａ、２０１ａ、２０２ａ、２０３ａは、バッテリＢの各部の温度を検出するための温度によって抵抗値が変化する同一のサーミスタ素子（温度センサ）である。判別用抵抗２００ａ、２０１ａ、２０２ａ、２０３ａは、バッテリＢの所定位置に設けられている。
【００６０】
配線部材２１は、判別用抵抗２００ａ、２０１ａ、２０２ａ、２０３ａを出力回路２２０〜２２５に配線するための部材である。配線部材２１は、コネクタ２１０と、ケーブル２１１と、コネクタ２１２とを備えている。コネクタ２１０は、ピンＴＢ１〜ＴＢ６、ＧＢ１〜ＧＢ６を備えている。ケーブル２１１は、電線２１１ａ〜２１１ｌによって構成されている。コネクタ２１２は、ピンＴＢ１〜ＴＢ６、ＧＢ１〜ＧＢ６を備えている。配線部材２１、コネクタ２１０、ケーブル２１１及びコネクタ２１２は、第１実施形態の配線部材１１、コネクタ１１０、ケーブル１１１及びコネクタ１１２と同一構成である。
【００６１】
出力回路２２０〜２２５は、判別用抵抗が接続されている場合と接続されていない場合で出力が異なるように構成された回路である。出力回路２２０〜２２５は、判別用回路の数よりも２つ多い６つ設けられている。出力回路２２０〜２２５は、判別用回路と同数である４つが判別用回路２００〜２０３に接続される。
【００６２】
出力回路２２０〜２２５は、分圧用抵抗２２０ａ、２２１ａ、２２２ａ、２２３ａ、２２４ａ、２２５ａをそれぞれ備えている。出力回路２２０〜２２５は、第１実施形態の出力回路１２０〜１２５と同一構成である。
【００６３】
種類判別回路２３は、出力回路２２０〜２２５の出力に基づいてバッテリＢの種類を判別し、判別結果に応じた信号を出力する回路である。種類判別回路２３は、判別用抵抗が接続されていない場合の出力がどの２つの出力回路から出力されるかによってバッテリＢの種類を判別する。具体的には、予め設定されている、電圧Ｖｃｃを出力する２つの出力回路とバッテリＢの種類の関係に基づいてバッテリＢの種類を判別する。また、種類判別回路２３は、判別用抵抗が接続されていない場合の出力が４つ以上の出力回路から出力されている場合において、バッテリＢの種類を１種類に特定できない場合、判別用抵抗と出力回路の間で断線が発生していると判断し、異常を示す信号を出力する。種類判別回路２３の入力端は、分圧用抵抗２２０ａ、２２１ａ、２２２ａ、２２３ａ、２２４ａ、２２５ａの他端にそれぞれ接続されている。
【００６４】
図１５に示すように、バッテリＢがタイプＡのバッテリＢ２０である場合、判別用抵抗２００ａの一端はコネクタ２１０のピンＴＢ１に、他端はコネクタ２１０のピンＧＢ１にそれぞれ接続されている。判別用抵抗２０１ａの一端はコネクタ２１０のピンＴＢ２に、他端はコネクタ２１０のピンＧＢ２にそれぞれ接続されている。判別用抵抗２０２ａの一端はコネクタ２１０のピンＴＢ３に、他端はコネクタ２１０のピンＧＢ３にそれぞれ接続されている。判別用抵抗２０３ａの一端はコネクタ２１０のピンＴＢ４に、他端はコネクタ２１０のピンＧＢ４にそれぞれ接続されている。コネクタ２１０のピンＴＢ５、ＧＢ５、ＴＢ６、ＧＢ６は、何も接続されておらずオープン状態である。
【００６５】
図１６に示すように、バッテリＢがタイプＢのバッテリＢ２１である場合、判別用抵抗２００ａの一端はコネクタ２１０のピンＴＢ１に、他端はコネクタ２１０のピンＧＢ１にそれぞれ接続されている。判別用抵抗２０１ａの一端はコネクタ２１０のピンＴＢ２に、他端はコネクタ２１０のピンＧＢ２にそれぞれ接続されている。コネクタ２１０のピンＴＢ３、ＧＢ３、ＴＢ４、ＧＢ４は、何も接続されておらずオープン状態である。判別用抵抗２０２ａの一端はコネクタ２１０のピンＴＢ５に、他端はコネクタ２１０のピンＧＢ５にそれぞれ接続されている。判別用抵抗２０３ａの一端はコネクタ２１０のピンＴＢ６に、他端はコネクタ２１０のピンＧＢ６にそれぞれ接続されている。
【００６６】
図１７に示すように、バッテリＢがタイプＣのバッテリＢ２２である場合、コネクタ２１０のピンＴＢ１、ＧＢ２、ＴＢ２、ＧＢ２は、何も接続されておらずオープン状態である。判別用抵抗２００ａの一端はコネクタ２１０のピンＴＢ３に、他端はコネクタ２１０のピンＧＢ３にそれぞれ接続されている。判別用抵抗２０１ａの一端はコネクタ２１０のピンＴＢ４に、他端はコネクタ２１０のピンＧＢ４にそれぞれ接続されている。判別用抵抗２０２ａの一端はコネクタ２１０のピンＴＢ５に、他端はコネクタ２１０のピンＧＢ５にそれぞれ接続されている。判別用抵抗２０３ａの一端はコネクタ２１０のピンＴＢ６に、他端はコネクタ２１０のピンＧＢ６にそれぞれ接続されている。
【００６７】
次に、図１８〜図２０を参照して第２実施形態のバッテリ種類判別装置の動作について説明する。
【００６８】
図１８に示すように、バッテリＢがタイプＡのバッテリＢ２０である場合、配線部材２１を介して、出力回路２２０〜２２３に、判別用抵抗２００ａ、２０１ａ、２０２ａ、２０３ａがそれぞれ接続される。そのため、出力回路２２０〜２２３は、判別用抵抗が接続されていることを示す分圧用抵抗と判別用抵抗によって分圧された電圧Ｖｃｃよりも低い電圧を出力する。一方、出力回路２２４、２２５には、何も接続されない。そのため、出力回路２２４、２２５は、判別用抵抗が接続されていないことを示す電圧Ｖｃｃを出力する。
【００６９】
種類判別回２３は、判別用抵抗が接続されていないことを示す電圧Ｖｃｃが出力回路２２４、２２５から出力されていることから、バッテリＢがタイプＡのバッテリＢ２０である判別し、判別結果に応じた信号を出力する。 
【００７０】
以下同様に、図１９に示すように、バッテリＢがタイプＢのバッテリＢ２１である場合、出力回路２２０、２２１、２２４、２２５は、判別用抵抗が接続されていることを示す分圧用抵抗と判別用抵抗によって分圧された電圧Ｖｃｃよりも低い電圧を出力する。一方、出力回路２２２、２２３は、判別用抵抗が接続されていないことを示す電圧Ｖｃｃを出力する。
【００７１】
種類判別回路２３は、判別用抵抗が接続されていないことを示す電圧Ｖｃｃが出力回路２２２、２２３から出力されていることから、バッテリＢがタイプＢのバッテリＢ２１である判別し、判別結果に応じた信号を出力する。 
【００７２】
図２０に示すように、バッテリＢがタイプＣのバッテリＢ２２である場合、出力回路２２２〜２２５は、判別用抵抗が接続されていることを示す分圧用抵抗と判別用抵抗によって分圧された電圧Ｖｃｃよりも低い電圧を出力する。一方、出力回路２２０、２２１は、判別用抵抗が接続されていないことを示す電圧Ｖｃｃを出力する。
【００７３】
種類判別回路２３は、判別用抵抗が接続されていないことを示す電圧Ｖｃｃが出力回路２２０、２２１から出力されていることから、バッテリＢがタイプＣのバッテリＢ２２である判別し、判別結果に応じた信号を出力する。 
【００７４】
出力回路２２０〜２２５は、判別用回路の数よりも２つ多く設けられている。そのため、判別用抵抗が接続されない出力回路が２つ発生する。そして、判別用抵抗が接続されない２つの出力回路がバッテリＢの種類によって異なるように判別用抵抗２００ａ、２０１ａ、２０２ａ、２０３ａが配線されている。
【００７５】
そのため、例えば図１８において、電線２１１ａが断線し、判別用抵抗が接続されていないことを示す電圧Ｖｃｃが出力回路２２０、２２４、２２５から出力されるような事態になっても、そもそも、判別用抵抗が接続されていないことを示す電圧Ｖｃｃが出力回路２２０、２２４及び出力回路２２０、２２５から出力されるようなことはないため、種類判別回路２３は、バッテリＢがタイプＡのバッテリＢ２０であると判別する。
【００７６】
また、図１９において、電線２１１ｃが断線し、判別用抵抗が接続されていないことを示す電圧Ｖｃｃが出力回路２２１〜２２３から出力されるような事態になっても、そもそも、判別用抵抗が接続されていないことを示す電圧Ｖｃｃが出力回路２２１、２２２及び出力回路２２１、２２４から出力されるようなことはないため、種類判別回路２３は、バッテリＢがタイプＡのバッテリＢ２０であると判別する。
【００７７】
つまり、本来接続されている１組の判別用回抵抗と出力回路の間で断線が発生し、判別用抵抗が接続されていない場合の出力が３つの出力回路から出力されるような事態になっても、種類判別回路２３は、バッテリＢの種類を判別することができる。
【００７８】
さらに、図２０において、電線２１１ｇ、２１１ｉが断線し、判別用抵抗が接続されていないことを示す電圧Ｖｃｃが出力回路２２０、２２１、２２３、２２４から出力されるような事態になっても、そもそも、判別用抵抗が接続されていないことを示す電圧Ｖｃｃが出力回路２２０、２２３、出力回路２２０、２２４、出力回路２２１、２２３、出力回路２２１、２２４及び出力回路２２３、２２４から出力されるようなことはないため、種類判別回路２３は、バッテリＢがタイプＣのバッテリＢ２２であると判別する。しかし、電線２１１ｅ、２２１ｇが断線し、判別用抵抗が接続されていないことを示す電圧Ｖｃｃが出力回路２２０〜２２３から出力されるような事態になると、本来、判別用抵抗が接続されていないことを示す電圧Ｖｃｃが出力回路２２０、２２１から出力されているのか、出力回路２２２、２２３から出力されているのか判断できないため、種類判別回路２３は、判別用抵抗と出力回路の間で断線が発生していると判断し、異常を示す信号を出力する。
【００７９】
つまり、種類判別回路２３は、判別用抵抗が接続されていないことを示す電圧Ｖｃｃが４つ以上の出力回路から出力されている場合において、バッテリＢの種類を１種類に特定できない場合、判別用抵抗と出力回路の間で断線が発生していると判断し、異常を示す信号を出力する。
【００８０】
次に、第２実施形態のバッテリ種類判別装置の効果について説明する。
【００８１】
第２実施形態によれば、第１実施形態と同一構成を有することにより、その同一構成に対応した第１実施形態と同様の効果を得ることができる。
【００８２】
第２実施形態によれば、出力回路２２０〜２２５は、判別用回路の数よりも２つ多く設けられている。そのため、判別用回路が接続されない出力回路が２つ発生する。そして、判別用回路が接続されない２つの出力回路がバッテリＢの種類によって異なるように判別用回路２００〜２０３が配線されている。そのため、本来接続されている１組の判別用回路と出力回路の間で断線が発生し、判別用回路が接続されていない場合の出力が３つの出力回路から出力されるような事態になっても、種類判別回路２３は、バッテリＢの種類を判別することができる。
【００８３】
第２実施形態によれば、種類判別回路２３は、判別用回路が接続されていない場合の出力が４つ以上の出力回路から出力されている場合において、バッテリＢを１種類に特定できない場合、異常が発生していると判断する。そのため、誤判別を防止することができる。
【００８４】
なお、第１及び２実施形態では、判別用回路が判別用抵抗によって構成され、出力回路が判別用抵抗の接続の有無によって出力電圧が異なるように構成されている例を挙げているが、これに限られるものではない。判別用回路は、所定の電圧を出力する回路であってもよい。この場合、出力回路は、入力電圧によって出力電圧が異なるような回路であればよい。第１及び第２実施形態と同様に、バッテリの種類を判別することができる。
【符号の説明】
【００８５】
１・・・バッテリ種類判別装置、１００〜１０４・・・判別用回路、１００ａ、１０１ａ、１０２ａ、１０３ａ、１０４ａ・・・判別用抵抗、１２０〜１２５・・・出力回路、１２０ａ、１２１ａ、１２２ａ、１２３ａ、１２４ａ、１２５ａ・・・分圧用抵抗、１３・・・種類判別回路、Ｂ１０・・・タイプＡのバッテリ、Ｂ１１・・・タイプＢのバッテリ、Ｂ１２・・・タイプＣのバッテリ、Ｂ１３・・・タイプＤのバッテリ、Ｂ１４・・・タイプＥのバッテリ
【図１】
0006455715.tif 000002
【図２】
0006455715.tif 000003
【図３】
0006455715.tif 000004
【図４】
0006455715.tif 000005
【図５】
0006455715.tif 000006
【図６】
0006455715.tif 000007
【図７】
0006455715.tif 000008
【図８】
0006455715.tif 000009
【図９】
0006455715.tif 000010
【図１０】
0006455715.tif 000011
【図１１】
0006455715.tif 000012
【図１２】
0006455715.tif 000013
【図１３】
0006455715.tif 000014
【図１４】
0006455715.tif 000015
【図１５】
0006455715.tif 000016
【図１６】
0006455715.tif 000017
【図１７】
0006455715.tif 000018
【図１８】
0006455715.tif 000019
【図１９】
0006455715.tif 000020
【図２０】
0006455715.tif 000021